(57)【特許請求の範囲】
【請求項１】
眼球の切開部に挿入されて眼内挿入用レンズを眼球内に送り出すノズル部を有する眼内挿入用レンズの挿入器具であって、
前記眼内挿入用レンズを眼球内に押し出す押出し軸が移動する方向を第１の方向とし、
該第１の方向に直交する方向を第２の方向とし、
該第１の方向及び該第２の方向に直交する方向を第３の方向とするとき、
前記ノズル部を前記第３の方向から見た場合において、該ノズル部の先端側部分に、該ノズル部の先端開口に近いほど互いに接近するよう第１の方向に対して傾斜した第１の斜面及び第２の斜面が形成されており、
前記ノズル部を前記第２の方向から見た場合において、前記第１及び第２の斜面の傾斜が開始する位置から前記先端開口までの前記第１の方向の射影距離が異なることを特徴とする挿入器具。
【請求項２】
前記第３の方向から見た場合において、前記第１及び第２の斜面の長さと前記第１及び第２の斜面が前記第１の方向に対してなす傾斜角度のうち少なくとも一方が互いに異なることを特徴とする請求項１に記載の挿入器具。
【請求項３】
請求項１又は２に記載の挿入器具と、
前記レンズ収容部内に収容された眼内挿入用レンズとを含むことを特徴とする眼内挿入用レンズ内装型挿入器具。
【請求項４】
請求項１又は２に記載の挿入器具を準備する工程と、
眼内挿入用レンズを前記レンズ収容部内に設置する工程とを含むことを特徴とする眼内挿入用レンズ内装型挿入器具の製造方法。  
【発明の詳細な説明】
【技術分野】
【０００１】
本発明は、白内障で摘出された水晶体の代わりに挿入されたり、屈折異常を矯正する等の目的で眼球内に挿入されたりする眼内挿入用レンズを眼球内に挿入するための挿入器具に関するものである。
【背景技術】
【０００２】
現在の白内障の手術では、眼球の前嚢の中心部を切除し、白濁した水晶体を超音波吸引装置によって除去した後、そこに人工の眼内挿入用レンズ（以下、単にレンズと記す）を配置する。レンズを眼球内に配置する際には、該レンズの可撓性を利用し、折畳むなどして小さく変形させて小さな切開創から眼内へ挿入する術法が主流となっている。
【０００３】
そして、手術においては、器具本体のレンズ収容部に収容されたレンズを、押出し軸によって該器具本体内を移動させながら小さく変形させ、切開創に差し込まれたノズル部の先端開口からレンズを眼球内に押し出す挿入器具（特許文献１参照）が多く用いられている。このような挿入器具は、白内障の手術だけではなく、視力補正治療等での眼内挿入用レンズの挿入手術においても用いられる。
【特許文献１】特開２００１−１０４３４７号公報
【発明の開示】
【発明が解決しようとする課題】
【０００４】
上記のような挿入器具を用いてレンズを眼球内に挿入する際には、挿入器具（つまりはノズル部）を眼球の切開創に対して正しい向きで差し込む必要がある。具体的には、変形して眼球内に挿入されたレンズが眼内で展開したときに、該レンズの前面が眼球の外面に面する向きでノズル部を切開創に差し込む。
【０００５】
しかしながら、従来の挿入器具では、ノズル部にその向きを確認するための目印が設けられていなかった。手術者は、ノズル部を切開創に挿入する際に、顕微鏡を通してノズル部と切開創に注目している。このため、挿入器具のうちノズル部以外の部分（例えば、手で持つ部分）にそのような目印が設けられていたとしても、ノズル部を切開創に挿入する直前に、顕微鏡から目を離したり挿入器具を持ち替えたりして、その目印を確認することは煩わしい。
【０００６】
本発明は、特にノズル部を眼球の切開創に挿入する際に挿入器具の向きを容易に確認することができるようにした眼内挿入用レンズの挿入器具を提供する。
【課題を解決するための手段】
【０００７】
本発明の一側面としての挿入器具は、眼球の切開部に挿入されて眼内挿入用レンズを眼球内に送り出すノズル部を有する。該挿入器具は、眼内挿入用レンズを眼球内に押し出す押出し軸が移動する方向を第１の方向とし、第１の方向に直交する方向を第２の方向とし、第１の方向及び第２の方向に直交する方向を第３の方向とするとき、ノズル部を第３の方向から見た場合において、該ノズル部の先端側部分に、該ノズル部の先端開口に近いほど互いに接近するよう第１の方向に対して傾斜した第１の斜面及び第２の斜面が形成されている。そして、ノズル部を第２の方向から見た場合において、第１及び第２の斜面の傾斜が開始する位置から先端開口までの第１の方向の射影距離が異なることを特徴とする。
【０００８】
なお、上記挿入器具であって、レンズ収容部に収容された眼内挿入用レンズを含む眼内挿入用レンズ内装型挿入器具も本発明の他の側面を構成する。
【０００９】
さらに、上記挿入器具を準備する工程と、眼内挿入用レンズをレンズ収容部内に装填する工程とを有する眼内挿入用レンズ内装型挿入器具の製造方法も本発明の他の側面を構成する。
【発明の効果】
【００１０】
本発明によれば、ノズル部の先端側部分において第１及び第２の斜面の傾斜が開始する位置からノズル部の先端開口までの第１方向の射影位置が異なるように形成されていることにより、ノズル部に注目している手術者に挿入器具の向きを容易に確認させることができる。しかも、挿入器具の向きを示す目印を第１及び第２の斜面とは別に設ける必要がないので、挿入器具の製造においてそのような目印を設けるための工程を不要とすることができる。
【発明を実施するための最良の形態】
【００１１】
以下、本発明の実施例について図面を参照しながら説明する。
【実施例１】
【００１２】
図１には、本発明の実施例１である眼内挿入用レンズの挿入器具の外観を示している。
【００１３】
図１において、Ａ１はカートリッジであり、不図示の眼球の切開創（切開部）に挿入されて後述する眼内挿入用レンズ（ＩＯＬ）を眼球内に送り出す挿入筒部としてのノズル部Ａ１１を有する。
【００１４】
カートリッジＡ１は、プラスティックにより形成することが好ましく、特に透明性、成形性、安定性及びコストの観点から、ポリプロピレン、ポリエチレン等のオレフィン系樹脂、又はポリカーボネート樹脂により形成するとよい。
【００１５】
Ａ２はトップベースであり、その底面部に取り付けられたカートリッジＡ１におけるノズル部Ａ１１以外の部分（以下、下カバー部という）Ａ１２とともに、眼内挿入用レンズ（以下、単にレンズという）Ｂを収容するレンズ収容部として機能する。
【００１６】
レンズＢは、図２に示すように、光学部Ｂ１と、２つの支持部Ｂ２とにより構成されている。光学部Ｂ１は、眼内で水晶体に代わる光学的機能を有する部分であり、本実施例では、記憶特性を有する変形可能な弾性体によって形成されている。具体的には、光学部Ｂ１は、可撓性及び復元性を有する樹脂材料、例えばシリコーンエラストマー、アクリル酸エステルとメタクリル酸エステルとの共重合樹脂、コラマー、水溶性ゲルにより形成されている。光学部Ｂ１は、中心軸としての光軸ＡＸＬを有する。
【００１７】
また、支持部Ｂ２は、眼球内において光学部Ｂ１を支える機能を有し、光学部Ｂ１と同じ又は異なる材料によりループ状に形成されている。具体的には、支持部Ｂ２は、ポリイミドやアクリル樹脂等、柔軟性と形状記憶性を持つ材料により形成されている。
【００１８】
このように構成されるレンズＢは、図１に示したトップベースＡ２内部の上位置に、光軸ＡＸＬが上下方向に延び、かつ光学部Ｂ１のうち眼内挿入後に眼球の外面に面する前面が上向きとなるように配置される。このとき、レンズＢは、トップベースＡ２によって光学部Ｂ１に実質的に応力がかからない状態で保持される。ここにいう実質的に応力がかからない状態とは、長期間保管されても、光学部Ｂ１の光学的機能に影響するような応力や変形が生じない状態をいう。
【００１９】
そして、トップベースＡ２の上部には、レンズＢを覆うようにトップフランジＡ３が取り付けられる。
【００２０】
ここで、以下の説明において、レンズＢを眼球内に押し出す押出し軸（これについては後述する）が移動する方向を第１の方向（図１における左右方向：以下、Ｚ方向という）とする。また、第１の方向に直交する方向を第２の方向（図１における上下方向：以下、Ｘ方向という）とする。
【００２１】
なお、図１においては、このＸ方向はトップベースＡ２及びカートリッジＡ１（下カバー部Ａ１２）により構成されるレンズ収容部に収容されたレンズＢの光軸ＡＸＬに平行な方向となる。ただし、第２の方向は、あくまで第１の方向に直交する方向であり、光軸ＡＸＬに平行な方向に限定されるものではない。
【００２２】
さらに、以下の説明において、第１の方向及び第２の方向に直交する方向を第３の方向（図１の紙面に対して垂直な方向：以下、Ｙ方向という）とする。なお、図１中には、押出し軸の移動する方向（Ｚ方向）に沿って延びる挿入器具の中心軸（以下、Ｚ軸という）を一点鎖線で示している。
【００２３】
Ａ５は中空の円筒部であり、そのＺ方向先端にはトップベースＡ２の基端部が固定される。円筒部Ａ５は、手術者が挿入器具を一方の手で持って支える部分である。また、円筒部Ａ５又はトップベースＡ２内には、レンズＢをノズル部Ａ１１を通して押し出す際の潤滑性を確保するために、ヒアルロン酸水溶液、ヒアルロン酸ナトリウム水溶液等の粘弾性物質や、生理食塩水等の液体が充填される。
【００２４】
カートリッジＡ１、トップベースＡ２及び円筒部Ａ５により挿入器具の本体が構成される。
【００２５】
押出し軸Ａ４は、円筒部Ａ５によってその軸方向（Ｚ方向）に移動可能に支持される。押出し軸Ａ４は、手術者が他方の手で持つ持ち手部Ａ４１と、レンズ収容部からノズル部Ａ１１を通してレンズＢを眼球内に押し出す軸部Ａ４２とを有する。
【００２６】
図７には、以上の構成を有する挿入器具の製造工程（製造方法）を示している。ステップＳ１では、本体（Ａ１，Ａ２，Ａ５）に押出し軸Ａ４が組み付けられた挿入器具が準備される。
【００２７】
ステップＳ２では、前述したように、トップベースＡ２の上位置にレンズＢが設置される。
【００２８】
そして、ステップＳ３では、トップベースＡ２の上部に、トップフランジＡ３が取り付けられる。
【００２９】
こうして、ステップＳ４にて眼内挿入用レンズ内装型挿入器具の製造が完了する。眼内挿入用レンズ内装型挿入器具は、プリロードタイプ又はプリセットタイプの挿入器具ともいう。
【００３０】
このように、予めレンズＢがレンズ収容部内の上位置に収容（配置）された挿入器具において、トップフランジＡ３がトップベースＡ２に対して下方に押し込まれると、該トップフランジＡ３によってレンズＢがレンズ収容部内の下位置に押し下げられる。このとき、レンズＢの光学部Ｂ１は、カートリッジＡ１の下カバー部Ａ１２の曲面に沿って下に向かって凸の形状となるように若干変形する。ただし、この状態でも、光学部Ｂ１の光軸ＡＸＬは、上下方向に延びている。
【００３１】
そして、レンズＢが下位置に移動した状態で、押出し軸Ａ４が本体に対してノズル部Ａ１１の方向に押し込まれると、軸部Ａ４２の先端によって押されたレンズＢが小さく折り畳まれるように変形しながらノズル部Ａ１１内を移動し、ノズル部Ａ１１の先端開口Ａ１３から眼球内に押し出される。
【００３２】
本実施例では、挿入器具の本体を、それぞれ別部品としてのカートリッジＡ１、トップベースＡ２及び円筒部Ａ５を組み合わせて構成する場合について説明するが、例えば、カートリッジＡ１とトップベースＡ２とを一体の部品として円筒部Ａ５と組み合わせて構成してもよい。
【００３３】
次に、図３を用いて、上記挿入器具におけるノズル部Ａ１１の形状について説明する。図３には、ノズル部Ａ１１を、押出し軸Ａ４が移動する方向（Ｚ方向）の先端側から見た図（中央の図）と、Ｘ方向から見た図（上下の図）と、Ｙ方向から見た図（左側の図）を示している。
【００３４】
ノズル部Ａ１１の基端側部分（後述する先端側部分よりも円筒部Ａ５側の部分）Ａ１８は、中空の円筒形状を有する。また、ノズル部Ａ１１の先端側部分には、Ｙ方向から見た場合において、先端（先端開口Ａ１３）に近いほど互いに接近するよう挿入器具の中心軸の方向（Ｚ軸）に対して傾斜した第１の斜面Ａ１４及び第２の斜面Ａ１５が形成されている。
【００３５】
第１及び第２の斜面Ａ１４，Ａ１５は、眼球に形成された切開創へのノズル部Ａ１１の挿入を容易とするために、ノズル部Ａ１１の先端を、基端側部分Ａ１８のような円筒形状に比べて扁平な形状とするための斜面である。
【００３６】
なお、第１及び第２の斜面Ａ１４，Ａ１５は、平面であってもよいし、若干の曲率（基端側部分Ａ１８の曲率より小さな曲率）を持った曲面であってもよい。
【００３７】
第１及び第２の斜面Ａ１４，Ａ１５を設けることで、該第１及び第２の斜面Ａ１４，Ａ１５の先端間には、スリット状の先端開口Ａ１３が形成される。なお、本実施例では、先端開口Ａ１３は、Ｚ軸を含みＹ方向に広がるＹＺ面を含むように形成されている。
【００３８】
このように、ノズル部Ａ１１の先端側部分に第１及び第２の斜面Ａ１４，Ａ１５を形成して先端開口Ａ１３をスリット状に形成することで、レンズＢをノズル部Ａ１４から押し出す際に、第１及び第２の斜面Ａ１４，Ａ１５の内面にレンズＢの支持部Ｂ２が当接する。これにより、眼球内に挿入されたレンズＢの支持部Ｂ２の動きを一定方向に維持することができ、安定したレンズＢの眼球内への挿入が可能となる。
【００３９】
また、図３の上下の図に示すように、ノズル部Ａ１１の先端側部分におけるＸ方向での片側部分が、Ｚ軸に対して傾斜するように（ノズル部Ａ１１が先細り形状となるように）カットされている。このスラントカットも眼球に形成された切開創へのノズル部Ａ１１の挿入を容易とするためのものである。スラントカットの先端には、スリット状の先端開口Ａ１３につながって、先端開口Ａ１３よりもＸ方向での開口幅が広い先端開口Ａ１３′が形成されている。
【００４０】
さらに、図３の左図に示すように、ノズル部Ａ１１には、その中間位置から先端開口Ａ１３までＺ方向に延びる（ＹＺ面上にて延びる）スリットＡ１６が形成されている。
【００４１】
本実施例では、図３の左図に示すように、ノズル部Ａ１１をＹ方向から見た場合において、ノズル部Ａ１１の中間位置（基端部側）から第１及び第２の斜面Ａ１４，Ａ１５の長さＬ１４，Ｌ１５を互いに異ならせている。また、第１の斜面Ａ１４がＺ軸（挿入器具の中心軸の方向）に対してなす傾斜角度θ１４と、第２の斜面Ａ１５がＺ軸（ＹＺ面）に対してなす傾斜角度θ１５とを互いに異ならせている。本実施例では、Ｌ１４＜Ｌ１５であり、かつθ１４＞θ１５の関係を有する。
【００４２】
このように、本実施例では、Ｙ方向から見た場合のノズル部Ａ１１の先端側部分が、Ｘ方向において、つまりは先端開口Ａ１３及びスリットＡ１６又はＺ軸（ＹＺ面）に対して、互いに非対称な形状を有する。また、ノズル部Ａ１１をＸ方向から見た場合には、第１及び第２の傾斜が開始する位置からノズル部Ａ１１の先端開口Ａ１３までの第１方向（Ｚ方向）の射影距離Ｐ１４，Ｐ１５は互いに異なる長さを有する。
【００４３】
なお、本願でいう「射影距離」とは、ノズル部をある方向から観察した際に、その観察方向に垂直に交わる平面に対して投影したときの距離（長さ）をいう。本実施例において「第１の方向（Ｚ方向）の射影距離」は、図３の上下の図に示すＰ１４、Ｐ１５のような二次元的に観察される距離のことである。図３の左の図からも明らかなように、「第１の方向の射影距離」Ｐ１４、Ｐ１５は、第１及び第２の斜面Ａ１４，Ａ１５の長さＬ１４，Ｌ１５とは異なる。
【００４４】
従来の挿入器具では、Ｙ方向から見た場合のノズル部の先端側部分は、先端開口やスリット又はＺ軸（ＹＺ面）に対して対称な形状を有する。また、Ｘ方向から見た場合においても、第１及び第２の斜面の傾斜が開始する位置からノズル部Ａ１１の先端開口までの第１の方向（Ｚ方向）の射影距離（つまり、第２方向から見たときに第１の方向に投影される射影距離）は互いに同じ長さ有する。このため、ノズル部をＹ方向やＸ方向から見るだけでは挿入器具の向きを判別することが難しい。
【００４５】
これに対し、本実施例では、前述したようにＹ方向から見た場合のノズル部Ａ１１の先端側部分が非対称な形状を有し、また、Ｘ方向から見た場合においても第１及び第２の斜面Ａ１４，Ａ１５の傾斜が開始する位置からノズル部Ａ１１の先端開口Ａ１３までの第１の方向の射影距離が互いに異なる長さを有する。したがって、手術者は、ノズル部Ａ１１を眼球の切開創に挿入する直前（顕微鏡下）において、Ｙ方向からノズル部Ａ１１の先端側部分を見れば、挿入器具（つまりはレンズＢ）の向きが正しいことを容易に確認することができる。
【００４６】
つまり、第１の斜面Ａ１４の傾斜が開始する位置からノズル部Ａ１１の先端開口Ａ１３までの第１の方向（Ｚ方向）の射影距離Ｐ１４が第２の斜面Ａ１５の傾斜が開始する位置から先端開口Ａ１３までの第１の方向（Ｚ方向）の射影距離Ｐ１５よりも短いことや、第１の斜面Ａ１４の傾斜角度θ１４が第２の斜面Ａ１５の傾斜角度θ１５よりも大きいことを見るだけで、挿入器具の向きが正しいことを確認することができる。
【００４７】
また、Ｘ方向からノズル部Ａ１１を見た場合でも、第２の斜面Ａ１５の傾斜が開始する位置からノズル部Ａ１１の先端開口Ａ１３までの第１の方向（Ｚ方向）の射影距離Ｐ１５よりも、第１の斜面Ａ１４の傾斜が開始する位置から先端開口Ａ１３までの第１の方向（Ｚ方向）の射影距離Ｐ１４が短い（第２の斜面Ａ１４の方が形状が小さい）ことから、挿入器具の向きが正しいことを容易に確認することができる。
【実施例２】
【００４８】
図４には、本発明の実施例２である挿入器具におけるノズル部Ａ１１を、該挿入器具の押出し軸が移動する方向（Ｚ方向）の先端側から見た図（中央の図）、Ｘ方向から見た図（上下の図）及びＹ方向から見た図（左側の図）を示している。
【００４９】
本実施例において、実施例１の挿入器具のノズル部Ａ１１における同様の部位には、実施例１と同符号を付す。このことは、後述する他の実施例でも同じである。
【００５０】
実施例１と同様に、本実施例でも、ノズル部Ａ１１の基端側部分Ａ１８は、中空の円筒形状を有する。また、ノズル部Ａ１１の先端側部分には、Ｙ方向から見た場合において、先端に近いほど互いに接近するよう挿入器具の中心軸の方向（Ｚ軸）に対して傾斜した第１の斜面Ａ１４及び第２の斜面Ａ１５が形成されている。第１及び第２の斜面Ａ１４，Ａ１５の先端間には、スリット状の先端開口Ａ１３が形成されている。
【００５１】
さらに、図４の左図に示すように、ノズル部Ａ１１には、その中間位置から先端開口Ａ１３までＺ方向に延びるスリットＡ１６が形成されている。なお、本実施例では、先端開口Ａ１３及びスリットＡ１６は、ＹＺ面よりも下側に形成されている。また、図４の上下の図に示すように、ノズル部Ａ１１の先端側部分におけるＸ方向での片側部分にはスラントカットが形成され、該スラントカットの先端には、先端開口Ａ１３につながって、先端開口Ａ１３よりもＸ方向での開口幅が広い先端開口Ａ１３′が形成されている。
【００５２】
本実施例では、図４の左図に示すように、ノズル部Ａ１１をＹ方向から見た場合において、第１及び第２の斜面Ａ１４，Ａ１５の長さＬ１４，Ｌ１５を互いに同じとしている。ここにいう長さＬ１４，Ｌ１５が同じとは、完全に同じ場合だけでなく、手術者から見て同じとみなせる程度の小さな差しかない場合も含む。
【００５３】
一方、第１の斜面Ａ１４がＺ軸（ＹＺ面）に対してなす傾斜角度θ１４と、第２の斜面Ａ１５がＺ軸に対してなす傾斜角度θ１５を互いに異ならせている。本実施例では、θ１４＞θ１５の関係を有する。
【００５４】
このように、Ｙ方向から見た場合のノズル部Ａ１１の先端側部分は、Ｘ方向において、つまりは先端開口Ａ１３及びスリットＡ１６又はＺ軸（ＹＺ面）に対して、互いに非対称な形状を有する。また、ノズル部Ａ１１をＸ方向から見た場合に、第１及び第２の斜面Ａ１４，Ａ１５の傾斜が開始する位置からノズル部Ａ１１の先端開口Ａ１３までの第１の方向（Ｚ方向）の射影距離Ｐ１４，Ｐ１５は互いに異なる長さを有する。本実施例では、第１の斜面Ａ１４の傾斜が開始する位置からノズル部Ａ１１の先端開口Ａ１３までの第１の方向（Ｚ方向）の射影距離Ｐ１４は、第２の斜面Ａ１５の傾斜が開始する位置からノズル部Ａ１１の先端開口Ａ１３までの第１の方向（Ｚ方向）の射影距離Ｐ１５に比べて短い。
【００５５】
したがって、手術者は、ノズル部Ａ１１を眼球の切開創に挿入する直前（顕微鏡下）において、Ｙ方向からノズル部Ａ１１の先端側部分を見れば、挿入器具（つまりはレンズＢ）の向きが正しいことを容易に確認することができる。つまり、第１の斜面Ａ１４の傾斜角度θ１４が第２の斜面Ａ１５の傾斜角度θ１５よりも大きいことを見るだけで、挿入器具の向きが正しいことを確認することができる。
【００５６】
また、Ｘ方向からノズル部Ａ１１を見た場合でも、第２の斜面Ａ１５の傾斜が開始する位置からノズル部Ａ１１の先端開口Ａ１３までの第１の方向（Ｚ方向）の射影距離Ｐ１５よりも、第１の斜面Ａ１４の傾斜が開始する位置からノズル部Ａ１１の先端開口Ａ１３までの第１の方向（Ｚ方向）の射影距離Ｐ１４が短いことから、挿入器具の向きが正しいことを容易に確認することができる。
【実施例３】
【００５７】
図５には、本発明の実施例３である挿入器具におけるノズル部Ａ１１を、該挿入器具の押出し軸が移動する方向（Ｚ方向）の先端側から見た図（中央の図）、Ｘ方向から見た図（上下の図）及びＹ方向から見た図（左側の図）を示している。
【００５８】
実施例１と同様に、本実施例でも、ノズル部Ａ１１の基端側部分Ａ１８は、中空の円筒形状を有する。また、ノズル部Ａ１１の先端側部分には、Ｙ方向から見た場合において、先端（先端開口Ａ１３）に近いほど互いに接近するよう挿入器具の中心軸の方向（Ｚ軸）に対して傾斜した第１の斜面Ａ１４及び第２の斜面Ａ１５が形成されている。第１及び第２の斜面Ａ１４，Ａ１５の先端間には、スリット状の先端開口Ａ１３が形成されている。本実施例では、先端開口Ａ１３は、ＹＺ面上に形成されている。
【００５９】
さらに、図５の上下の図に示すように、ノズル部Ａ１１の先端側部分におけるＸ方向での片側部分にはスラントカットが形成され、該スラントカットの先端には、先端開口Ａ１３につながって、先端開口Ａ１３よりもＸ方向での開口幅が広い先端開口Ａ１３′が形成されている。
【００６０】
本実施例では、図５の左図に示すように、ノズル部Ａ１１をＹ方向から見た場合において、第１及び第２の斜面Ａ１４，Ａ１５の長さＬ１４，Ｌ１５を互いに異ならせている。本実施例では、Ｌ１４＞Ｌ１５である。また、本実施例では、第１の斜面Ａ１４がＺ軸（ＹＺ面）に対してなす傾斜角度θ１４と、第２の斜面Ａ１５がＺ軸に対してなす傾斜角度θ１５を互いに同じとしている。ここにいう傾斜角度θ１４，θ１５が同じとは、完全に同じ場合だけでなく、手術者から見て同じとみなせる程度の小さな差しか有さない場合も含む。
【００６１】
このように、Ｙ方向から見た場合のノズル部Ａ１１の先端側部分は、Ｘ方向において、つまりは先端開口Ａ１３又はＺ軸（ＹＺ面）に対して、互いに非対称な形状を有する。また、ノズル部Ａ１１をＸ方向から見た場合に、第１及び第２の斜面Ａ１４，Ａ１５の傾斜が開始する位置からノズル部Ａ１１の先端開口Ａ１３までの第１の方向（Ｚ方向）の射影距離Ｐ１４，Ｐ１５は互いに異なる長さを有する。本実施例では、第１の斜面Ａ１４の傾斜が開始する位置からノズル部Ａ１１の先端開口Ａ１３までの第１の方向（Ｚ方向）の射影距離Ｐ１４は、第２の斜面Ａ１５の傾斜が開始する位置からノズル部Ａ１１の先端開口Ａ１３までの第１の方向（Ｚ方向）の射影距離Ｐ１５に比べて長い。
【００６２】
したがって、手術者は、ノズル部Ａ１１を眼球の切開創に挿入する直前（顕微鏡下）において、Ｙ方向からノズル部Ａ１１の先端側部分を見れば、挿入器具の向きが正しいことを容易に確認することができる。つまり、第１の斜面Ａ１４の長さが第２の斜面Ａ１５の長さよりも長いことを見るだけで、挿入器具の向きが正しいことを確認することができる。
【００６３】
また、Ｘ方向からノズル部Ａ１１を見た場合でも、第２の斜面Ａ１５の傾斜が開始する位置からノズル部Ａ１１の先端開口Ａ１３までの第１の方向（Ｚ方向）の射影距離Ｐ１５よりも、第１の斜面Ａ１４の傾斜が開始する位置からノズル部Ａ１１の先端開口Ａ１３までの第１の方向（Ｚ方向）の射影距離Ｐ１４が長いことから、挿入器具の向きが正しいことを容易に確認することができる。
【実施例４】
【００６４】
図６には、本発明の実施例４である挿入器具におけるノズル部Ａ１１を、該挿入器具の押出し軸が移動する方向（Ｚ方向）の先端側から見た図（中央の図）、Ｘ方向から見た図（上下の図）及びＹ方向から見た図（左側の図）を示している。
【００６５】
実施例１と同様に、本実施例でも、ノズル部Ａ１１の基端側部分Ａ１８は、中空の円筒形状を有する。また、ノズル部Ａ１１の先端側部分には、Ｙ方向から見た場合において、先端側ほど互いに接近するよう挿入器具の中心軸の方向（Ｚ軸）に対して傾斜した第１の斜面Ａ１４及び第２の斜面Ａ１５が形成されている。第１及び第２の斜面Ａ１４，Ａ１５の先端間には、スリット状の先端開口Ａ１３が形成されている。なお、本実施例では、先端開口Ａ１３は、ＹＺ面よりも上側に形成されている。
【００６６】
また、図６の上下の図に示すように、ノズル部Ａ１１の先端側部分におけるＸ方向での片側部分にはスラントカットが形成され、該スラントカットの先端には、スリット状の先端開口Ａ１３につながって、先端開口Ａ１３よりもＸ方向での開口幅が広い先端開口Ａ１３′が形成されている。
【００６７】
本実施例では、図６の左図に示すように、ノズル部Ａ１１をＹ方向から見た場合において、第１及び第２の斜面Ａ１４，Ａ１５の長さＬ１４，Ｌ１５を互いに異ならせている。一方、第１の斜面Ａ１４がＺ軸（ＹＺ面）に対してなす傾斜角度θ１４と、第２の斜面Ａ１５がＺ軸に対してなす傾斜角度θ１５を互いに異ならせている。本実施例では、Ｌ１４＜Ｌ１５で、かつθ１４＜θ１５の関係を有する。
【００６８】
このように、Ｙ方向から見た場合のノズル部Ａ１１の先端側部分は、Ｘ方向において、つまりは先端開口Ａ１３又はＺ軸（ＹＺ面）に対して、互いに非対称な形状を有する。また、ノズル部Ａ１１をＸ方向から見た場合に、第１及び第２の斜面Ａ１４，Ａ１５の傾斜が開始する位置からノズル部Ａ１１の先端開口Ａ１３までの第１の方向（Ｚ方向）の射影距離Ｐ１４，Ｐ１５は互いに異なる長さを有する。本実施例では、第１の斜面Ａ１４の傾斜が開始する位置からノズル部Ａ１１の先端開口Ａ１３までの第１の方向（Ｚ方向）の射影距離Ｐ１４は、第２の斜面Ａ１５の傾斜が開始する位置からノズル部Ａ１１の先端開口Ａ１３までの第の１方向（Ｚ方向）の射影距離Ｐ１５に比べて長い。
【００６９】
したがって、手術者は、ノズル部Ａ１１を眼球の切開創に挿入する直前（顕微鏡下）において、Ｙ方向からノズル部Ａ１１の先端側部分を見れば、挿入器具の向きが正しいことを容易に確認することができる。つまり、第１の斜面Ａ１４の長さが第２の斜面Ａ１５の長さよりも短いことや、第１の斜面Ａ１４の傾斜角度θ１４が第２の斜面Ａ１５の傾斜角度θ１５よりも小さいことを見るだけで、挿入器具の向きが正しいことを確認することができる。
【００７０】
また、Ｘ方向からノズル部Ａ１１を見た場合でも、第２の斜面Ａ１５の傾斜が開始する位置からノズル部Ａ１１の先端開口Ａ１３までの第１の方向（Ｚ方向）の射影距離Ｐ１５より、第１の斜面Ａ１４の傾斜が開始する位置からノズル部Ａ１１の先端開口Ａ１３までの第１の方向（Ｚ方向）の射影距離Ｐ１４が長いことから、挿入器具の向きが正しいことを容易に確認することができる。
【００７１】
以上説明したように、上記各実施例によれば、Ｙ方向からノズル部Ａ１１の先端側部分の非対称形状を見たり、Ｘ方向から第２の斜面Ａ１５の傾斜が開始する位置からノズル部Ａ１１の先端開口Ａ１３までの第１の方向（Ｚ方向）の射影距離Ｐ１５に対する第１の斜面Ａ１４の傾斜が開始する位置からノズル部Ａ１１の先端開口Ａ１３までの第１の方向（Ｚ方向）の射影距離Ｐ１４の違いを見たりするだけで、挿入器具の向きを判別することができる。したがって、ノズル部Ａ１１を眼球の切開創に挿入する直前において、顕微鏡から目を外したり挿入器具を持ち替えたりすることなく、レンズＢを正しい向きで眼球内に挿入することができる。
【００７２】
また、本実施例によれば、挿入器具の向きを示す目印を第１及び第２の斜面Ａ１４，Ａ１５とは別に設ける必要がないため、挿入器具の製造においてそのような目印を設ける工程を不要とすることができる。
【図面の簡単な説明】
【００７３】
【図１】本発明の実施例１である眼内挿入用レンズの挿入器具（眼内挿入用レンズ内装型挿入器具）を示す側面図。
【図２】実施例１の挿入器具内に収容される眼内挿入用レンズの正面図。
【図３】実施例１の挿入器具におけるノズル部の形状を示す図。
【図４】本発明の実施例２である眼内挿入用レンズの挿入器具におけるノズル部の形状を示す図。
【図５】本発明の実施例３である眼内挿入用レンズの挿入器具におけるノズル部の形状を示す図。
【図６】本発明の実施例４である眼内挿入用レンズの挿入器具におけるノズル部の形状を示す図。
【図７】実施例１の挿入器具の製造方法を示すフローチャート。
【符号の説明】
【００７４】
Ａ１  カートリッジ
Ａ２  トップベース
Ａ３  トップフランジ
Ａ４  押出し軸
Ａ１１  ノズル部
Ａ１４  第１の斜面
Ａ１５  第２の斜面
Ｂ  眼内挿入用レンズ
【図１】
0005123634.tif 000002
【図２】
0005123634.tif 000003
【図３】
0005123634.tif 000004
【図４】
0005123634.tif 000005
【図５】
0005123634.tif 000006
【図６】
0005123634.tif 000007
【図７】
0005123634.tif 000008